(57)【要約】【課題】  表示画面の汚れの拭き取りをより簡便に行うことが可能な携帯情報端末装置を提供する。【解決手段】  表示画面１３Ａを備える携帯情報端末装置１である。表示画面１３Ａの汚れを拭き取るための拭取部３と、拭取部３を表示画面１３Ａに沿って移動案内可能な状態で保持する案内・保持部７とを備える。案内・保持部７による移動案内に従い拭取部３を移動させることにより、拭取部３による表示画面１３Ａの拭き取り動作が可能である。【選択図】    図１
2005080171.tif 000002
【特許請求の範囲】
【請求項１】
表示画面を備える携帯情報端末装置において、
前記表示画面の汚れを拭き取るための拭取部と、
前記拭取部を前記表示画面に沿って移動案内可能な状態で保持する案内・保持部と、
を備え、
前記案内・保持部による移動案内に従い前記拭取部を移動させることにより、該拭取部による前記表示画面の拭き取り動作が可能であることを特徴とする携帯情報端末装置。
【請求項２】
相互に開閉動作可能な一対の筐体を備える折り畳み式の携帯情報端末装置において、
表示画面と、
前記表示画面の汚れを拭き取るための拭取部と、
前記拭取部を前記表示画面に沿って移動案内可能な状態で保持する案内・保持部と、
を備え、
前記一対の筐体の開閉動作に連動して前記拭取部が前記案内・保持部による移動案内に従い移動することにより、前記拭取部が前記表示画面の拭き取り動作を行うように構成されていることを特徴とする携帯情報端末装置。
【請求項３】
前記一対の筐体のうちの一方の筐体は前記表示画面及び前記案内・保持部を備えているとともに該案内・保持部により前記拭取部を保持し、
当該携帯情報端末装置は、更に、前記拭取部と他方の筐体とを連結した連結部を備え、
前記連結部が前記開閉動作の際に前記他方の筐体から前記拭取部に力を伝達することにより、該拭取部が前記開閉動作に連動して前記拭き取り動作を行うように構成されていることを特徴とする請求項２に記載の携帯情報端末装置。
【請求項４】
前記他方の筐体は、前記一対の筐体を相互に閉じた状態で前記拭取部及び前記連結部の少なくとも一部を収納する収納凹部を備えることを特徴とする請求項３に記載の携帯情報端末装置。
【請求項５】
前記一対の筐体を相互に開いた状態では、前記拭取部の位置が前記表示画面を隠さないような待避位置となるように構成されていることを特徴とする請求項２乃至４のいずれか一項に記載の携帯情報端末装置。
【請求項６】
前記表示画面を隠さないような待避位置に前記拭取部を移動させることが可能に構成されていることを特徴とする請求項１乃至４のいずれか一項に記載の携帯情報端末装置。
【請求項７】
前記拭取部は、前記表示画面の汚れを拭き取る拭取面を有しており、前記拭取面は不織布からなることを特徴とする請求項１乃至６のいずれか一項に記載の携帯情報端末装置。
【請求項８】
当該携帯情報端末装置は、携帯電話機であることを特徴とする請求項１乃至７のいずれか一項に記載の携帯情報端末装置。
【発明の詳細な説明】
【技術分野】
【０００１】
本発明は、携帯情報端末装置に関する。
【背景技術】
【０００２】
近年、携帯電話機に代表される携帯情報端末装置は広く普及しているが、一般的な携帯電話機は各種表示を行うための表示部を備えている。
【０００３】
表示部の表示画面は、使用者が通話時に顔（耳の下から頬のあたり）を接触させてしまったり、或いは指で触れてしまったりすることにより、皮脂などの汚れが付着することがある。このように汚れが付着すると、表示画面における表示が見づらくなってしまう。
【０００４】
従来、このような汚れを拭き取るためには、例えば、布きれやハンカチを用いることが一般的であるが、その他にも、例えば、携帯ストラップ用マスコットの裏面に貼設された布を用いる技術（例えば、特許文献１参照）や、携帯ストラップに設けられた布或いは不織布を用いる技術（例えば、特許文献２、３参照）が提案されている。
【特許文献１】登録実用新案第３０９３２４７号公報（図３）
【特許文献２】登録実用新案第３０７４７８４号公報（図１）
【特許文献３】特開２００２−２０９６２６号公報（図１）
【発明の開示】
【発明が解決しようとする課題】
【０００５】
しかしながら、上記の特許文献１〜３の技術では、例えば、布きれやハンカチを用いる場合と比べて、それらを用意する手間を省ける分だけは便利であるが、表示画面の汚れを拭き取る作業自体は同様であり、それによる不便さは解消されない。
【０００６】
本発明は、上記のような問題点を解決するためになされたもので、表示画面の汚れの拭き取りをより簡便に行うことが可能な携帯電話機その他の携帯情報端末装置を提供することを目的とする。
【課題を解決するための手段】
【０００７】
上記課題を解決するため、本発明の携帯情報端末装置は、表示画面を備える携帯情報端末装置において、前記表示画面の汚れを拭き取るための拭取部と、前記拭取部を前記表示画面に沿って移動案内可能な状態で保持する案内・保持部と、を備え、前記案内・保持部による移動案内に従い前記拭取部を移動させることにより、該拭取部による前記表示画面の拭き取り動作が可能であることを特徴としている。
【０００８】
また、本発明の携帯情報端末装置は、相互に開閉動作可能な一対の筐体を備える折り畳み式の携帯情報端末装置において、表示画面と、前記表示画面の汚れを拭き取るための拭取部と、前記拭取部を前記表示画面に沿って移動案内可能な状態で保持する案内・保持部と、を備え、前記一対の筐体の開閉動作に連動して前記拭取部が前記案内・保持部による移動案内に従い移動することにより、前記拭取部が前記表示画面の拭き取り動作を行うように構成されていることを特徴としている。
【０００９】
この場合、前記一対の筐体のうちの一方の筐体は前記表示画面及び前記案内・保持部を備えているとともに該案内・保持部により前記拭取部を保持し、当該携帯情報端末装置は、更に、前記拭取部と他方の筐体とを連結した連結部を備え、前記連結部が前記開閉動作の際に前記他方の筐体から前記拭取部に力を伝達することにより、該拭取部が前記開閉動作に連動して前記拭き取り動作を行うように構成されていることが好ましい。
【００１０】
更に、この場合、前記他方の筐体は、前記一対の筐体を相互に閉じた状態で前記拭取部及び前記連結部の少なくとも一部を収納する収納凹部を備えることが好ましい。
【００１１】
また、これらの場合、前記一対の筐体を相互に開いた状態では、前記拭取部の位置が前記表示画面を隠さないような待避位置となるように構成されていることが好ましい。
【００１２】
また、本発明の携帯情報端末装置においては、前記表示画面を隠さないような待避位置に前記拭取部を移動させることが可能に構成されていることも好ましい。
【００１３】
本発明の携帯情報端末装置においては、前記拭取部は、前記表示画面の汚れを拭き取る拭取面を有しており、前記拭取面は不織布からなることが好ましい。
【００１４】
本発明の携帯情報端末装置は、携帯電話機であることを好ましい一例とする。
【発明の効果】
【００１５】
本発明によれば、表示画面の汚れを拭き取るための拭取部と、この拭取部を表示画面に沿って移動案内可能な状態で保持する案内・保持部と、を備え、案内・保持部による移動案内に従い表示画面に沿って拭取部を移動させることにより、該拭取部による表示画面の拭き取り動作が可能であるので、使用者は、拭取部を案内・保持部による移動案内に従い移動させるだけで、表示画面に付着した汚れを拭き取ることができる。つまり、従来の技術と比べて表示画面の汚れを拭き取る作業自体も容易になり、該拭き取り作業をより簡便に行うことが可能となる。
【００１６】
また、本発明は、特に、相互に開閉動作可能な一対の筐体を備える折り畳み式の携帯情報端末装置として構成されている場合に、その開閉動作に連動して拭取部が表示画面に沿って移動し、拭き取り動作を行うように構成されていることが好ましく、この場合には、一対の筐体の開閉動作を行うだけで表示画面に付着した汚れを拭き取ることができ、拭き取り作業が極めて簡便になる。
【発明を実施するための最良の形態】
【００１７】
以下、図面を参照して、本発明に係る実施形態について説明する。
【００１８】
本実施形態では、本発明に係る携帯情報端末装置の好適な一例としての携帯電話機について説明する。
【００１９】
図１は本実施形態に係る携帯電話機１を示す全体斜視図であり、図２は携帯電話機１を示す分解斜視図である。
【００２０】
図１及び図２に示すように、本実施形態に係る携帯電話機（携帯情報端末装置）１は、通話や電子メールの送受信といった通信機能を備えるものであり、ほぼ直方体形状の第１の筐体（一方の筐体）１Ａと、第１の筐体１Ａと同様の直方体形状の第２の筐体（他方の筐体）１Ｂと、第１の筐体１Ａと第２の筐体１Ｂとを相互に回動自在に結合するヒンジ機構１Ｃと、を備えている。そして、このヒンジ機構１Ｃの回動軸周りに第１及び第２の筐体１Ａ、１Ｂを相対的に回動させることにより、該筐体１Ａ、１Ｂを互いに重ね合わせるようにして折り畳んだり、或いは、開いたりすることができるようになっている。なお、ヒンジ機構１Ｃは、第１及び第２の筐体１Ａ、１Ｂとは別体の構成要素としても良いし、或いは、第１及び第２の筐体１Ａ、１Ｂのそれぞれの一部分を組み合わせることによりヒンジ機構１Ｃが構成されるようにしても良い。
【００２１】
このうち第１の筐体１Ａは、各種の表示を行う表示部１３と、当該携帯電話機１と外部（具体的には、例えば携帯電話用基地局）との間で通話や電子メールに関する無線信号を送受信するためのアンテナ２０と、通話の際に相手方より受信される音声を発音する受話部２１と、を備えている。
【００２２】
他方、第２の筐体１Ｂは、通話操作や電子メールの作成或いは送信操作といった各種操作をユーザが行うための、例えば複数の操作キーからなる操作部２と、通話の際に相手方に送信される音声を検出する送話部２２と、を備えている。
【００２３】
このうち表示部１３は、例えば液晶表示装置からなる。
【００２４】
なお、表示部１３の表示画面１３Ａ、受話部２１、操作部２及び送話部２２は、例えば、何れも携帯電話機１を折り畳んだ際には内側となる面に配されている。また、表示画面１３Ａは、例えば、受話部２１よりもヒンジ機構１Ｃの近くに配されている。
【００２５】
携帯電話機１は、更に、表示画面の汚れを拭き取るための拭取部３と、この拭取部３を表示画面１３Ａに沿って移動案内可能な状態で保持するために第１の筐体１Ａに形成されたガイド部（案内・保持部）７と、当該携帯電話機１の開閉動作に拭取部３による拭き取り動作を連動させるために、拭取部３と第２の筐体１Ｂとを連結する連結アーム（連結部）５と、を備えている。
【００２６】
このうちガイド部７は、例えば、表示画面１３Ａと平行で、しかも、ヒンジ機構１Ｃの回動軸に対し直交する方向に延在する長尺なガイド溝として、第１の筐体１Ａの、例えば両側部に形成されている。そして、ガイド部７は、その長手方向に沿って拭取部３を移動案内する。
【００２７】
また、図２に示すように、拭取部３は、例えば、本体部３１と、該本体部３１の表示画面１３Ａ側となる面に設けられた（例えば貼設された）不織布１２と、本体部３１の両端部に形成されそれぞれガイド部７に係合する係合部４と、当該拭取部３に対し連結アーム５の一端を回動可能に連結させるための結合部３２と、を備えている。
【００２８】
このうち本体部３１は、例えば、ヒンジ機構１Ｃの回動軸方向に長尺な板状に形成されている。
【００２９】
不織布１２は、表示画面１３Ａの幅方向Ｗ（図２；ヒンジ機構１Ｃの回動軸方向の幅方向）における全域に亘る寸法に形成されている。
【００３０】
また、係合部４は、例えば、ガイド溝としてのガイド部７内に嵌入されるＬ字状の爪状部として構成されている。そして、係合部４がそれぞれガイド部７に嵌入することにより、拭取部３はガイド部７より脱落することがないように第１の筐体１Ａに保持されて、該ガイド部７の長手方向（図１の矢印Ａ方向並びに図３の矢印Ｃ方向）に移動可能となっている。
【００３１】
なお、この状態で、不織布１２は、第１の筐体１Ａにおいて表示画面１３Ａを含む面１Ｄに当接状態となり、拭取部３がガイド部７に沿って移動する際には、該面１Ｄに対して摺動する。
【００３２】
また、連結アーム５は、例えば両端部がそれぞれ同方向へとＬ字状に屈曲された丸棒状のものである。連結アーム５は、その一端部が拭取部３の結合部３２に、他端部が第２の筐体１Ｂの側部に、それぞれ回動可能に結合されて、第２の筐体１Ｂと拭取部３とを連結している。
【００３３】
ここで、拭取部３の結合部３２は、例えば、該拭取部３の本体部３１において、不織布１２が設けられているのと反対側の面より起立した状態に形成されている。この結合部３２には、該結合部３２をヒンジ機構１Ｃの回動軸方向に貫通する孔部９が形成されている。
【００３４】
更に、結合部３２の孔部９を貫通するように外側から連結アーム５の一端部を差し込んだ状態で、該一端部には抜け止め部材（例えばＥリング）６Ａ、６Ｂ（図２）が、結合部３２の両側にて固定されている。
【００３５】
同様に、連結アーム５の他端部は、第２の筐体１Ｂの側部に形成された孔部１１（図２）内に差し込まれ、該側部を構成する壁部の内外にて、やはり抜け止め部材（例えばＥリング）１０Ａ、１０Ｂ（図２）が該他端部に固定されている。
【００３６】
これにより、連結アーム５は、その両端部がそれぞれ結合部３２或いは第２の筐体１Ｂの側部から抜けてしまうこと、並びに、それらに対し必要以上に深く差し込まれてしまうことが防止されているとともに、結合部３２及び第２の筐体１Ｂに対して該連結アーム５の両端部を軸として、ヒンジ機構１Ｃの回動軸周りに回動可能とされている。
【００３７】
従って、携帯電話機１の開閉動作の際には、連結アーム５から拭取部３へと第２の筐体１Ｂからの力が作用（伝達）して、該拭取部３がガイド部７に沿って移動し、該拭取部３により表示画面１３Ａの拭き取り動作を行うようになっている。なお、図１に示す矢印Ａは、図１のように携帯電話機１を開いた状態（一対の筐体１Ａ、１Ｂを開いた状態）から閉じた状態にする際における拭取部３の移動方向を示す。
【００３８】
加えて、携帯電話機１は、一対の筐体１Ａ、１Ｂを相互に閉じた状態（携帯電話機１の閉状態）で拭取部３及び連結アーム５の一部（例えば、結合部３２及びその周辺部）を収納する収納凹部８を、例えば、第２の筐体１Ｂに備えている。
【００３９】
次に、図３乃至図５を参照して動作を説明する。
【００４０】
なお、図３は携帯電話機１の閉状態（折り畳んだ状態）を示し、図４は携帯電話機１の開閉動作における中間時点での状態を示し、図５は携帯電話機１の開状態を示す。
【００４１】
先ず、図３のように閉じた状態から、例えば、通話などの操作或いは表示画面１３Ａの確認のために携帯電話機１の開動作を開始すると、拭取部３は、連結アーム５に引っ張られてガイド部７に沿った移動を開始する。なお、図３に示す矢印Ｂは図３の状態から携帯電話機１を開状態にする際における第１の筐体１Ａの移動方向を示し、矢印Ｃはこの場合における拭取部３の移動方向を示す。
【００４２】
更に携帯電話機１を開くと、拭取部３の不織布１２（図１、図２）は表示画面１３Ａ（図１、図２）上を摺動し、該表示画面１３Ａ上の汚れを拭き取る（図４）。なお、図４に示す矢印Ｄは図４の状態から更に開動作を行う際における第１の筐体１Ａの移動方向を示し、矢印Ｅはこの場合における拭取部３の移動方向を示す。
【００４３】
そして、携帯電話機１を完全に開くと、拭取部３は、表示画面１３Ａを通過してヒンジ機構１Ｃ側に位置した状態となる（図５）。
【００４４】
これにより、表示画面１３Ａの全面に亘って、拭取部３による拭き掃除が完了する。
【００４５】
なお、このように携帯電話機１を完全に開いた状態では、拭取部３は表示画面１３Ａを完全に通過した状態（表示画面１３Ａを隠さないような待避位置）で停止するので、該拭取部３が邪魔で表示画面１３Ａが見づらくなってしまうことはない。
【００４６】
次に、例えば通話が終わり、携帯電話機１の閉動作を開始すると、今度は拭取部３が連結アーム５に押され、該拭取部３がガイド部７に沿って移動開始する。  この動作により再び表示画面１３Ａの清掃が開始される。なお、図５に示す矢印Ｆは図５の状態から携帯電話機１を閉状態にする際における第１の筐体１Ａの移動方向を示し、矢印Ｇはこの場合における拭取部３の移動方向を示す。
【００４７】
その後、図４の状態→図３の状態へと順に移行することにより、拭取部３による拭き掃除が再度完了する。また、携帯電話機１は再び完全に閉じた状態となり、拭取部３は表示画面１３Ａを完全に通過して受話部２１側に位置した状態となる。
【００４８】
なお、図３に示す携帯電話機１の閉状態では、拭取部３及び連結アーム５の一部が収納凹部８内に収納されて邪魔にならないため、完全な閉状態を好適に実現することができる。
【００４９】
以上のような実施形態によれば、表示画面１３Ａの汚れを拭き取るための拭取部３と、この拭取部３を表示画面１３Ａに沿って移動案内可能な状態で保持するガイド部７と、を備え、ガイド部７による移動案内に従い表示画面１３Ａに沿って拭取部３を移動させることにより、該拭取部３による表示画面１３Ａの拭き取り動作が可能であるので、使用者は、拭取部３をガイド部７による移動案内に従い移動させるだけで、表示画面１３Ａに付着した汚れを拭き取ることができる。つまり、従来の技術と比べて表示画面１３Ａの汚れを拭き取る作業自体も容易になり、該拭き取り作業をより簡便に行うことが可能となる。
【００５０】
また、本実施形態に係る携帯電話機１は、特に、相互に開閉動作可能な一対の筐体１Ａ、１Ｂを備える折り畳み式のものであり、その開閉動作に連動して拭取部３が表示画面１３Ａに沿って移動し、拭き取り動作を行うように構成されているので、一対の筐体１Ａ、１Ｂの開閉動作を行うだけで、極めて簡便に表示画面１３Ａに付着した汚れを拭き取ることができる。従って、積極的な清掃作業を行うことなく、通常の使用（開閉動作を伴う）を繰り返すだけで、常に表示画面１３Ａをきれいに保つことができる。
【００５１】
なお、上記の実施の形態では、本発明に係る携帯情報端末装置の一例として、携帯電話機１についてのみ説明したが、本発明はこれに限らず、例えば、ＰＨＳといったその他の携帯情報端末装置にも同様に適用可能である。
【００５２】
また、拭取部３が携帯電話機１の開閉動作に連動する例を説明したが、使用者が拭取部３を手動で操作することにより拭き取り動作を行うように構成しても良い。なお、この場合には、連結アーム５、結合部３２及び抜け止め部材６Ａ、６Ｂ、１０Ａ、１０Ｂ及び孔部１１を要しない。
【００５３】
また、携帯電話機が折り畳み式である例を説明したが、携帯電話機は折り畳み式に限らない。なお、折り畳み式でない携帯電話機の場合には、折り畳み動作（開閉動作）に拭き取り動作を連動させることはできないので、上記のように手動で拭取部３を操作する構成とすれば良い。
【００５４】
さらに、ガイド部（案内・保持部）７をガイド溝とする一方で、拭取部３側の係合部４を爪状部とする例を示したが、これらは、拭取部３をガイド部により好適に案内及び保持できるような構成であればその他であっても良い。
【図面の簡単な説明】
【００５５】
【図１】本発明の実施形態に係る携帯電話機を示す全体斜視図である。
【図２】図１の携帯電話機を示す分解斜視図である。
【図３】携帯電話機の一連の動作を説明するための側面図であり、特に、閉状態を示す。
【図４】携帯電話機の一連の動作を説明するための側面図であり、特に、開閉動作の中間時点を示す。
【図５】携帯電話機の一連の動作を説明するための側面図であり、特に、開状態を示す。
【符号の説明】
【００５６】
１      携帯電話機（携帯情報端末装置）
１Ａ    第１の筐体（一方の筐体）
１Ｂ    第２の筐体（他方の筐体）
３      拭取部
５      連結アーム（連結部）
７      ガイド部（案内・保持部）
８      収納凹部
１２    不織布
１３Ａ  表示画面
【図１】
2005080171.tif 000003
【図２】
2005080171.tif 000004
【図３】
2005080171.tif 000005
【図４】
2005080171.tif 000006
【図５】
2005080171.tif 000007